(57)【要約】【課題】基板を保持部材に取り付ける取付部材の配置に係わらず、基板の破損を低コストで効果的に防止しつつ、効率的にコネクタを差し込むことができる電子機器を提供する。【解決手段】メスコネクタ９が設けられた主基板５と、主基板５が所定の間隔を空けてビスＢにより取り付けられた内側筐体４と、を備えた液晶テレビ１において、メスコネクタ９の差込口９１の差込面９１１が、主基板平面５２と略直交して設けられ、ビスＢが、主基板５の隅部５２１に設けられ、メスコネクタ９の差込口９１が、主基板５の縁部５２２であって、主基板５の底辺の略中央部５２３近傍に設けられ、ビスＢおよび内側筐体４が金属材料によって形成され、主基板５を片面基板とする。【選択図】図２
2006179249.tif 000002
【特許請求の範囲】
【請求項１】
コネクタが設けられた基板と、前記基板を保持する保持部材と、前記保持部材に前記基板を所定の間隔を空けて取り付けるための取付部材と、を備えた電子機器において、
前記コネクタの差込口の差込面が、前記基板の平面と略直交して設けられ、
前記取付部材が、前記基板の隅部に設けられ、
前記コネクタの差込口が、前記基板の縁部であって、前記基板の何れか一側辺の略中央部近傍に設けられ、
前記取付部材がビスにより構成され、
前記取付部材および前記保持部材が金属材料によって形成され、
前記基板が片面基板であることを特徴とする電子機器。
【請求項２】
コネクタが設けられた基板と、前記基板を保持する保持部材と、前記保持部材に前記基板を取り付けるための取付部材と、を備えた電子機器において、
前記コネクタの差込口の差込面が、前記基板の平面と略直交して設けられていることを特徴とする電子機器。
【請求項３】
請求項２に記載の電子機器において、
前記取付部材が、ビスにより構成されていることを特徴とする電子機器。
【請求項４】
請求項２または３に記載の電子機器において、
前記取付部材および前記保持部材が金属材料によって形成されていることを特徴とする電子機器。
【請求項５】
請求項２〜４の何れか一項に記載の電子機器において、
前記基板が片面基板であって、
前記取付部材が前記基板の隅部に設けられ、
前記コネクタの差込口が、前記基板の縁部であって、前記基板の何れか一側辺の略中央部近傍に設けられていることを特徴とする電子機器。
【発明の詳細な説明】
【技術分野】
【０００１】
本発明は、電子機器に関する。
【背景技術】
【０００２】
従来、基板間または電子機器間を接続する部品として様々なコネクタが知られている。使用目的によって用いられるコネクタは異なり、例えば、モデムやプリンタなどの周辺機器とパソコンを接続するためのシリアルケーブルや、コンピュータ間を接続するための光ファイバ、電子機器内で基板間を接続するために用いられるＦＰＣ（Flexible  Printed
Circuit）用コネクタなど、様々なコネクタが幅広く用いられている。
【０００３】
コネクタはその形状も多様であり、例えば、ＦＰＣ用コネクタは、ハウジングやコンタクトなどによって構成されるコネクタに、一方の基板から延出したＦＰＣの端部を挿入し、これを他方の基板に固定することによって両基板を接続するものがその一例として知られている。このＦＰＣ用コネクタの保持力を高め、またコネクタにＦＰＣを挿入する際にハウジングやコンタクトが変形することを防ぐために、コンタクトに形成した圧入部と係止部とでコンタクトをハウジングに固定させたコネクタが知られている（例えば、特許文献１参照。）。
【０００４】
ハウジングやコンタクトの変形や破損は、コネクタの機能を低下させてしまうため、注意深く対応すべき課題であるが、コネクタに限らず構成部品の破損の防止は重要な課題として認識されており、様々な対応が取られている。
【０００５】
例えば、静電容量値を測定することによって検知対象物の水分量を検出可能なセンサである静電容量式水分量センサにおいて、当該センサを構成する絶縁材の割れや電極の剥離を防止するために、センサの電極の少なくとも一方を直接検知対象物に触れない構造としたセンサが知られている（例えば、特許文献２参照。）。
【０００６】
ところで、ＬＣＤ（Liquid  Crystal  Display）を用いたテレビ（以下、「液晶テレビ」という。）が広く普及している。液晶テレビ１００は、例えば、図５に示すように、液晶ディスプレイ１０１と、その後方に設けられたバックライトユニット１０２と、これらを内部に保持する内側筐体１０３とを備え、さらに、内側筐体１０３にビス止めされた主基板１０４と、内側筐体１０３の下方に設けられたスイッチ基板１０５と、主基板１０４とスイッチ基板１０５とを接続する基板間ケーブル１０６と、などが化粧筐体１０７内部に配置されて構成されるものである。  
【０００７】
液晶テレビ１００の前面デザインの制限上、スイッチ基板１０５は液晶テレビ１００の前面の幅方向略中央部近傍に設けられることが多く、化粧筐体１０７内部の限られたスペースにおいて主基板１０４とスイッチ基板１０５とを最短距離で接続するために、主基板１０４に設けられるメスコネクタ１０４ａは主基板１０４上のスイッチ基板１０５に近い位置、即ち、主基板１０４の平面の底辺側であって幅方向略中央部に設けられる。
【０００８】
一方、コストや手間などの面から、少ないビスで主基板１０４を内側筐体１０３に取り付けるために、主基板１０４は、主基板１０４の四隅を含む最小限の取付箇所で内側筐体１０３に取り付けられるものであった。従って、メスコネクタ１０４ａの近傍にはビスが配置されないという構成であった。
【０００９】
そして、液晶テレビ１００の製造工程において、メスコネクタ１０４ａにオスコネクタ（図示省略）を差し込む作業を容易に行うため、メスコネクタ１０４ａは、所謂、トップ型コネクタ構造と呼ばれる、主基板１０４の平面と平行な差込面を備えるコネクタであって、オスコネクタ（図示省略）差込時に主基板１０４に対して垂直に負荷がかけられる構成であった。
【特許文献１】特開２００４−１７２０３９号公報
【特許文献２】特開２００２−２２６９７号公報
【発明の開示】
【発明が解決しようとする課題】
【００１０】
しかしながら、上記液晶テレビ１００の場合、メスコネクタ１０４ａにオスコネクタ（図示省略）を差し込もうとすると、その際に主基板１０４の平面に垂直方向にかかる負荷によって、近傍にビスが配置されていないメスコネクタ１０４ａを中心に主基板１０４が撓み、場合によっては破損してしまうという問題があった。
【００１１】
この問題は、特許文献１および２に記載の発明によっては解決することができず、また内側筐体１０３のメスコネクタ１０４ａに対応した位置に撓み防止の為の絶縁部材を設けることや、メスコネクタ１０４ａの後方に指をあてがって差し込むことなどによって軽減されるものの、コストや手間がかかるという問題があった。
【００１２】
そこで、本発明の課題は、基板を保持部材に取り付ける取付部材の配置に係わらず、基板の破損を低コストで効果的に防止しつつ、効率的にコネクタを差し込むことができる電子機器を提供することである。
【課題を解決するための手段】
【００１３】
以上の課題を解決すべく、請求項１に記載の発明は、コネクタが設けられた基板と、前記基板を保持する保持部材と、前記保持部材に前記基板を所定の間隔を空けて取り付けるための取付部材と、を備えた電子機器において、前記コネクタの差込口の差込面が、前記基板の平面と略直交して設けられ、前記取付部材が、前記基板の隅部に設けられ、前記コネクタの差込口が、前記基板の縁部であって、前記基板の何れか一側辺の略中央部近傍に設けられ、前記取付部材がビスにより構成され、前記取付部材および前記保持部材が金属材料によって形成され、前記基板が片面基板であることを特徴とする。
【００１４】
請求項２に記載の発明は、コネクタが設けられた基板と、前記基板を保持する保持部材と、前記保持部材に前記基板を取り付けるための取付部材と、を備えた電子機器において、前記コネクタの差込口の差込面が、前記基板の平面と略直交して設けられていることを特徴とする。
【００１５】
請求項３に記載の発明は、請求項２に記載の電子機器において、前記取付部材が、ビスにより構成されていることを特徴とする。
【００１６】
請求項４に記載の発明は、請求項２または３に記載の電子機器において、前記取付部材および前記保持部材が金属材料によって形成されていることを特徴とする。
【００１７】
請求項５に記載の発明は、請求項２〜４の何れか一項に記載の電子機器において、前記基板が片面基板であって、前記取付部材が前記基板の隅部に設けられ、前記コネクタの差込口が、前記基板の縁部であって、前記基板の何れか一側辺の略中央部近傍に設けられていることを特徴とする。
【発明の効果】
【００１８】
請求項１に記載の発明によると、コネクタの差込口の差込面が基板の平面と垂直であることにより、基板の平面に対して垂直方向の負荷を与えることなくコネクタにケーブルやコネクタ等を差し込むことができるため、基板に設けられた取付部材の配置に関わらず、基板が撓んだり、破損したりすることを低コストで効果的に防止しつつ、効率的にコネクタを差し込むことができる。
【００１９】
また、基板が、ビスによって点で保持部材に取り付けられるため、取付部材が配置されない基板の平面に対する垂直方向からの負荷により、基板に撓みが生じ易くなる。
【００２０】
さらに、金属材料からなる取付部材を、金属材料からなる保持部材へ取り付ける際に発
生する接地処理に伴う取付作業の手間の増大を抑えるため、取付部材の数を必要最小限にしようとすると、基板の平面に対する垂直方向の負荷にさらに撓み易い構成になる。
【００２１】
その上、基板が、片面のみに導体配線を施される片面基板であることにより、基板自体が薄く構成されることとなり、特に基板の平面に対する垂直方向の負荷に撓み易い構成となる。
【００２２】
そして、取付部材が基板の隅部に設けられ、コネクタの差込口が基板の平面の縁部であって、基板の何れか一側辺の略中央部近傍に設けられることによって、コネクタの差込口の周辺に取付部材が配置されないこととなり、基板の平面に対する垂直方向の負荷に非常に撓み易い構成となる。
【００２３】
また、基板と保持部材とが所定の間隔を空けて設けられることにより、基板の平面に対する垂直方向の負荷が基板のみにかかることとなって、さらに撓み易い構成となる。
【００２４】
このような構造において、コネクタの差込口の差込面が基板の平面と垂直であることにより、基板の平面に対して垂直方向の負荷を与えることなくコネクタにケーブルやコネクタ等を差し込むことができるため、基板の撓みや破損の防止という効果を特に好適に発揮することができる。
【００２５】
請求項２に記載の発明によると、コネクタの差込口の差込面が、基板の平面と垂直であることにより、コネクタの差込口にケーブル等を差し込む際に、基板に対して、基板の平面と略平行な方向に負荷がかかることとなる。
【００２６】
これにより、基板の平面に対して垂直方向の負荷を与えることなくコネクタにケーブルやコネクタ等を差し込むことができることとなって、基板に設けられた取付部材の配置に関わらず、基板が撓んだり、破損したりすることを低コストで効果的に防止しつつ、効率的にコネクタを差し込むことができる。
【００２７】
請求項３に記載の発明によると、基板が、ビスによって点で保持部材に取り付けられるため、ビスが配置されない基板の平面に対する垂直方向からの負荷により、基板に撓みが生じ易くなる。
【００２８】
このような構造においても、コネクタの差込口の差込面が基板の平面と垂直であることにより、基板の平面に対して垂直方向の負荷を与えることなくコネクタにケーブルやコネクタ等を差し込むことができるため、基板の撓みや破損の防止という効果を特に好適に発揮することができる。
【００２９】
請求項４に記載の発明によると、金属材料からなる取付部材を、金属材料からなる保持部材へ取り付ける際に発生する接地処理に伴う取付作業の手間の増大を抑えるため、取付部材の数が必要最小限に制限されることとなる。これにより、基板の平面に対する垂直方向の負荷にさらに撓み易い構成になるが、コネクタの差込口の差込面が基板の平面と垂直であることにより、基板の平面に対して垂直方向の負荷を与えることなくコネクタにケーブルやコネクタ等を差し込むことができるため、基板の撓みや破損の防止という効果をさらに好適に発揮することができる。
【００３０】
請求項５に記載の発明によれば、基板が、片面のみに導体配線を施される片面基板であることにより、基板自体が薄く構成されることとなり、特に基板の平面に対する垂直方向の負荷に撓み易い構成となる。また、取付部材が基板の隅部に設けられ、コネクタの差込口が基板の平面の縁部であって、基板の何れか一側辺の略中央部近傍に設けられることによって、コネクタの差込口の周辺に取付部材が配置されないこととなり、基板の平面に対する垂直方向の負荷に非常に撓み易い構成となる。
【００３１】
このような構造において、コネクタの差込口の差込面が基板の平面と垂直であることにより、基板の平面に対して垂直方向の負荷を与えることなくコネクタにケーブル等を差し込むことができるため、基板の撓みや破損の防止という効果を非常に好適に発揮することができる。
【発明を実施するための最良の形態】
【００３２】
以下に、本発明の最良の実施形態を、図面を参照しながら詳細に説明する。ただし、発明の範囲は図示例に限られない。
【００３３】
図１は本発明を適用した好適な実施の形態として例示する電子機器としての、ＬＣＤ（Liquid  Crystal  Display／液晶ディスプレイ）テレビ（以下、「液晶テレビ」という。）１の概略正面図であって、図２は図1のII−II線での概略断面図である。
【００３４】
図１、２に示すように、液晶テレビ１は、画像を表示する液晶ディスプレイ２と、液晶ディスプレイ２の後方に位置するバックライトユニット３と、液晶ディスプレイ２およびバックライトユニット３を内部に配置してなる保持部材としての内側筐体４と、内側筐体４に取り付けられる主基板５と、スイッチ基板６と、主基板５とスイッチ基板６とを接続する基板間コネクタケーブル７などが化粧筐体８内部に配置されることにより構成される。
【００３５】
液晶ディスプレイ２は、液晶を二枚の対向する透明絶縁性基板（例えば、ガラス板；図示省略）の間に狭持し、当該ガラス板に取り付けられた電極（図示省略）に電圧をかけ、液晶によって偏光された光を、偏光板（図示省略）に通すことによって光の透過・不透過を制御する液晶パネル２１と、液晶パネル２１と略同形であって、液晶パネル２１よりもやや広い面積を備えるフロントパネル２２などで構成される。従って、液晶パネル２１の全周において、フロントパネル２２がやや延出することにより液晶ディスプレイ２が構成される。
【００３６】
バックライトユニット３は、液晶パネル２１に背面から光をあて、映像を視認させる光源のことで、例えば、Ｒ（赤）、Ｇ（緑）、Ｂ（青）のＬＥＤ（Light Emitting Diode）光源によって構成される。またその他に、蛍光管などの好適な光源を用いることもでき、外部の光を反射することにより光源として機能する反射板などを用いてもよい。バックライトユニット３は液晶パネル２の平面形状と略同一の平面形状からなる。
【００３７】
内側筐体４は、液晶パネル２１の平面形状と略同形状の開口部４１ａを備える箱状体である。そして、フロントパネル２２を内側筐体４の外面４１に当接するようにあてがって、液晶パネル２１を開口部４１ａに嵌め込むことによって液晶ディスプレイ２が内側筐体４に配置される。内側筐体４に設けられた液晶ディスプレイ２よりも更に内側にバックライトユニット３が取り付けられる。  
【００３８】
内側筐体４は、例えば、金属材料によって形成され、金属材料としては、ステンレスなどの鉄系、アルミニウム系、銅系など、一般的に用いられる金属を適宜用いることができる。
【００３９】
主基板５は、所謂マザーボードと呼ばれる基板であって、例えば、厚さ約１．６ｍｍの矩形状の絶縁板（ベークライト、エポキシ樹脂など電気を通さない材料）の片面に銅箔で配線を張り付けた片面基板構造からなり、この主基板５に、例えば、ＣＰＵ（図示省略）を取り付けるためのＣＰＵソケット（図示省略）や、主基板５と、主基板５の周辺に位置する電子機器とを接続するためのコネクタとしてのメスコネクタ９などが設けられる。
【００４０】
主基板５は、内側筐体４に、内側筐体４と所定の間隔を空けて取り付けられる。具体的には、内側筐体４の後面部の外面４２に、取付部材としてのビスBを用いて取り付けられ
る。
【００４１】
ビスBは、図３に示すように、主基板５の平面（以下、「主基板平面」という。）５２
の隅部５２１に配置される。具体的には、例えば、主基板５の四隅の計４箇所に取り付け
られる。
【００４２】
ビスＢの配置は、当該配置に限られることはなく、少ないビスで効率的且つ確実に主基板５を内側筐体４に取り付け可能な配置であることが好ましい。
【００４３】
また、ビスＢは、例えば金属材料によって成形され、金属材料としては、内側筐体４に用いた金属材料を用いることができる。尚、内側筐体４およびビスＢが金属材料によって構成される場合には、漏電に備えて各ビスＢを接地するか、若しくは各ビスＢと内側筐体４との間に絶縁体を設けることが好ましい。
【００４４】
メスコネクタ９の差込口９１は、主基板平面５２上の縁部５２２であって、基板５の４つの側辺における底辺の略中央部５２３近傍に設けられる。即ち、メスコネクタ９は、主基板５上のスイッチ基板６に最も近い位置に配置される。これにより、主基板５とスイッチ基板６とを接続する基板間コネクタテーブル７の長さを短くすることができ、化粧筐体８の限られたスペースの中で基板間コネクタケーブル７をコンパクトに収納することができる。
【００４５】
また、メスコネクタ９は、メスコネクタ９の差込口９１の差込面９１１が、主基板平面５２と略直交するように設けられている。具体的には、例えば、図４に示すように、主基板平面５２と略平行な方向から基板間コネクタケーブル７に接続されたオスコネクタ１０をメスコネクタ９に差し込むことによって、基板間コネクタケーブル７を主基板５に接続するものである。
【００４６】
スイッチ基板６は、化粧筐体８に設けられた音量やチャンネルなどを調節するためのスイッチ６１から入力された指示を処理するための入力部（図示省略）などが配置された基板である。各種スイッチ６１は、液晶テレビ１の前面デザインの制限上、フロントパネル２２の下方であって、液晶テレビ１の幅方向略中央部近傍に設けられる。スイッチ基板６は、化粧筐体８内部のスイッチ６１に近い位置、即ち、内側筐体４の下方であって、液晶テレビ１の幅方向略中央部に設けられる。
【００４７】
スイッチ基板６には、例えば、コネクタ９と同様の形状であるサイド型のメスコネクタ６２が配置される。メスコネクタ６２には、オスコネクタ１０に接続された基板間コネクタケーブル７の他端に接続されたオスコネクタ（図示省略）が差し込まれ、これによって主基板５とスイッチ基板６とが電気的に接続された状態となる。
【００４８】
このとき、スイッチ基板６のメスコネクタ６２を、主基板５のメスコネクタ９に最も近い位置に配置することによって、基板間コネクタケーブル７の長さを最短とすることができ、化粧筐体８内部で、さらにコンパクトに収納することができる。
【００４９】
以上に説明した液晶テレビ１によると、メスコネクタ９の差込口９１の差込面９１１が主基板平面５２と垂直であることにより、基板５の平面に対して垂直方向の負荷を与えることなくメスコネクタ９にオスコネクタ１０を差し込むことができるため、主基板５に設けられたビスBの配置に関わらず、主基板５が撓んだり、破損したりすることを低コスト
で効果的に防止しつつ、効率的にコネクタを差し込むことができる。
【００５０】
また、主基板５が、ビスＢによって点で内側筐体４に取り付けられるため、ビスＢが配置されない主基板平面５２に対する垂直方向からの負荷により、基板に撓みが生じ易くなる。
【００５１】
さらに、金属材料からなるビスＢを、金属材料からなる内側筐体４へ取り付ける際に発生する接地処理に伴う取付作業の手間の増大を抑えるため、ビスＢの数が必要最小限に制限されることとなる。これにより、主基板平面５２に対する垂直方向の負荷にさらに撓み易い構成になる。
【００５２】
その上、主基板５が、片面のみに導体配線を施される片面基板であることにより、主基板５自体が薄く構成されることとなり、特に主基板平面５２に対する垂直方向の負荷に撓み易い構成となる。
【００５３】
そして、ビスＢが主基板５の隅部５２１に設けられ、メスコネクタ９の差込口９１が主
基板平面５２の縁部５２２であって、基板の底辺の略中央部５２３近傍に設けられることによって、メスコネクタ９の差込口９１の周辺にビスＢが配置されないこととなり、主基板平面５２に対する垂直方向の負荷に非常に撓み易い構成となる。
【００５４】
また、主基板５と内側筐体４とが所定の間隔を空けて設けられることにより、主基板平面５２に対する垂直方向の負荷が基板のみにかかることとなって、さらに撓み易い構成となる。
【００５５】
しかし、このような構造においても、メスコネクタ９の差込口９１の差込面９１１が主基板平面５２と垂直であることにより、主基板平面５２に対して垂直方向の負荷を与えることなくメスコネクタ９にオスコネクタ１０を差し込むことができるため、主基板５の撓みや破損の防止という効果を特に好適に発揮することができる。
【００５６】
尚、本実施例においては、取付部材としてビスＢを用いたが、ボルトなどでも良く、取付部材の両端に接着剤を塗布して主基板５を内側筐体４に取り付けることとしても構わないが、取付作業を簡便におこなうために、ビスやボルトなどのネジ式部材を用いることが好ましい。
【００５７】
本実施形態においては、電子機器として、液晶テレビを例示したが、機器内部にコネクタを有する基板を備えた電子機器であればよく、例えば、プラズマテレビやパーソナルコンピュータなどにも好適に適用することができる。
【図面の簡単な説明】
【００５８】
【図１】本発明の電子機器を適用した液晶テレビの概略正面図である。
【図２】図１のII−II線での概略断面図である。
【図３】主基板におけるビスおよびメスコネクタの配置を説明するための説明図である。
【図４】メスコネクタの周辺構成を示すための斜視図である。
【図５】従来の液晶テレビの内部構造を説明するための断面図である。
【符号の説明】
【００５９】
１  液晶テレビ（電子機器）
２  液晶ディスプレイ
２１  液晶パネル
２２  フロントパネル
３  バックライトユニット
４  内側筐体（保持部材）
５  主基板（基板）
５２  主基板平面
５２１  隅部
５２２  縁部
５２３  中央部
６  スイッチ基板
７  基板間コネクタケーブル
８  化粧筐体
９  メスコネクタ（コネクタ）
９１  差込口
９１１  差込面
１０  オスコネクタ
Ｂ  ビス（取付部材）
【図１】
2006179249.tif 000003
【図２】
2006179249.tif 000004
【図３】
2006179249.tif 000005
【図４】
2006179249.tif 000006
【図５】
2006179249.tif 000007